【手続補正書】
【提出日】平成30年1月9日(2018.1.9)
【手続補正１】
【補正対象書類名】特許請求の範囲
【補正対象項目名】全文
【補正方法】変更
【補正の内容】
【特許請求の範囲】
【請求項１】
冠状部分（１１０）と本体部分（１２０）とを含むボーンインプラント（１００）であって、前記冠状部分（１１０）および前記本体部分（１２０）は互いに連続していて、前記冠状部分（１１０）は、前記インプラント（１００）の近位端を規定していて、前記本体部分（１２０）は、前記インプラント（１００）の遠位端を規定していて、前記冠状部分（１１０）は、前記本体部分（１２０）の全体の直径よりも小さい全体の直径を有するように構成されていて、
ａ）前記本体部分（１２０）は、内側コア（１２０ｃ）を有し、前記内側コア（１２０ｃ）は、スレッディングを備え、前記スレッディングは、そこからその長さに沿って延在していて、前記コア（１２０ｃ）は、前記本体部分（１２０）の内側直径を規定していて、前記スレッディングは、前記本体部分（１２０）の外側直径を規定していて、
ｂ）前記コア（１２０ｃ）は、前記コア（１２０ｃ）の近位直径が前記コア（１２０ｃ）の遠位直径よりも大きくなるように、連続的に減少する直径を有する前記本体部分（１２０）の長さに沿って連続している、
ボーンインプラント（１００）。
【請求項２】
前記コア（１２０ｃ）は、少なくとも１つのスレッド（１２４）を含み、前記スレッド（１２４）は、そこから前記本体部分（１２０）の長さに沿って延在し、各スレッド（１２４）は、アピカルサイド（１２４ａ）と、コロナルサイド（１２４ｃ）と、前記アピカルサイド（１２４ａ）と前記コロナルサイド（１２４ｃ）とを結合するラテラルエッジ（１２４ｆ）と、前記スレッド（１２４）を前記コア（１２０ｃ）に結合させるベース（１２４ｂ）と、前記ラテラルエッジ（１２４ｆ）と前記ベース（１２４ｂ）との間で規定されるスレッド深さとを含み、前記コア（１２０ｃ）は、少なくとも２つのサブセグメント（１２０ａ、１２０ｂ（すなわち、近位サブセグメント（１２０ａ）、遠位サブセグメント（１２０ｂ）））から形成され、前記少なくとも１つのスレッド（１２４）は、頂端部の方向で、近位サブセグメント（１２０ａ）の長さに沿って概して増加し、かつ頂端部の方向で、前記遠位サブセグメント（１２０ｂ）の長さに沿って概して減少する変更可能な深さを有し、前記スレッド（１２４）の最小の深さは、前記コア（１２０ｃ）の前記冠状部分に隣接し、前記スレッド（１２４）の最大の深さは、前記遠位サブセグメント（１２０ｂ）と前記近位サブセグメント（１２０ａ）との間で見出され得る、請求項１に記載のボーンインプラント（１００）。
【請求項３】
前記コア（１２０ｃ）は、少なくとも１つのスレッド（１２４）を含み、前記スレッド（１２４）は、そこから前記本体部分（１２０）の長さに沿って延在し、各スレッド（１２４）は、アピカルサイド（１２４ａ）と、コロナルサイド（１２４ｃ）と、前記アピカルサイド（１２４ａ）と前記コロナルサイド（１２４ｃ）とを結合するラテラルエッジ（１２４ｆ）と、前記スレッド（１２４）を前記コア（１２０ｃ）に結合させるベース（１２４ｂ）と、前記ラテラルエッジ（１２４ｆ）と前記ベース（１２４ｂ）との間で規定されるスレッド深さとを含み、前記少なくとも１つのスレッド（１２４）は、頂端部の方向で、前記本体部分（１２０）の遠位セグメント（１２０ｂ）の長さに沿って増加する変更可能な深さを有し、前記スレッド（１２４）の最小の深さは、前記冠状部分（１１０）に隣接し、各スレッド（１２４）の最大の深さは、前記アピカルエンド（１００ｄ）に隣接し、前記アピカルエンド（１００ｄ）は、それが、前記各スレッド（１２４）の出発点を先導する前記コア（１２０ｃ）から延在する少なくとも１つのカッティングリーディングエッジの先端部（１２６ｅ）を含むことを特徴とし、前記カッティングリーディングエッジの先端部（１２６ｅ）は、骨内において、前記インプラントを安定化させるために提供されている、請求項１に記載のボーンインプラント（１００）。
【請求項４】
（ａ）前記サブセグメント（１２０ａ、１２０ｂ）のそれぞれは、筒状のプロファイルまたは台形状のプロファイルから選択されるプロファイルを有するように構成されていてもよく、そして／または、
（ｂ）近位サブセグメント（１２０ａ）は、近位直径および遠位直径を有する台形状のプロファイルを含み、前記近位直径が、前記遠位直径よりも大きく、そして／または、
（ｃ）遠位サブセグメント（１２０ｂ）は、近位直径および遠位直径を有する台形状のプロファイルを含み、前記近位直径が、前記遠位直径よりも大きく、そして／または、
（ｄ）前記サブセグメント（１２０ａ、１２０ｂ）の少なくとも１つが円筒状である、
請求項２に記載のボーンインプラント（１００）。
【請求項５】
（ａ）前記スレッド（１２４）の前記ラテラルエッジ（１２４ｆ）は、冠状部の方向で、前記サブセグメント（１２０ａ、１２０ｂ）に沿って増加する変更可能な幅を有し、前記スレッド（１２４）の前記ラテラルエッジ（１２４ｆ）の最小の幅は、前記遠位サブセグメント（１２０ｂ）の遠位端に隣接していて、前記スレッド（１２４）の前記ラテラルエッジ（１２４ｆ）の最大の幅は、前記近位セグメント（１２０ａ）の近位端に隣接していて、そして／または、
（ｂ）前記スレッド（１２４）の前記ラテラルエッジ（１２４ｆ）は、前記サブセグメント（１２０ａ、１２０ｂ）の長さに沿って、均一な幅を有し、そして／または、
（ｃ）前記スレッド（１２４）の前記ラテラルエッジ（１２４ｆ）は、前記サブセグメント（１２０ａ、１２０ｂ）の長さに沿って、変更可能な幅を有している、
請求項２に記載のボーンインプラント（１００）。
【請求項６】
（ａ）前記スレッド（１２４）は、約２０度から最大で約６０度のスレッドアングルを含むように構成されていて、好ましくは前記スレッドアングルは、約２５度であるか、または前記スレッドアングルは、約３５度であり、そして／または、
（ｂ）前記スレッド（１２４）は、約１ｍｍ〜約３ｍｍ、好ましくは１．８ｍｍまたは２．１ｍｍのピッチを有するように構成されていてる、
請求項２に記載のボーンインプラント（１００）。
【請求項７】
前記スレッド（１２４）は、少なくとも２以上の出発点を含み、好ましくは、
前記少なくとも１つのスレッド（１２４）は、前記本体部分（１２０）の長さに沿って、少なくとも２つの長手方向の凹部をさらに含み、前記本体部分（１２０）の全長に沿って規定されている少なくとも２つのフルート（１２２）を規定していて、前記フルート（１２２）は、前記歯科インプラント（１００）を回転させた場合に骨を粉砕し、回収し、凝縮または分散するように、かつ前記冠状部分（１１０）に隣接する近位開口部（１２２ｏ）を有するように構成されていて、前記フルート近位開口部（１２２ｏ）は、前記インプラント（１００）の前記冠状部分（１１０）からアクセス可能な前記少なくとも２つのフルート（１２２）の長手方向の凹部を与えるように構成されていて、なおかつ、それを通して骨を除去または導入するために提供されていて、
前記少なくとも２つのフルート（１２２）は、前記スレッドベース（１２４ｂ）と前記スレッドラテラルエッジ（１２４ｆ）との間の前記スレッド（１２４）の深さにわたって形成されていて、前記フルート（１２２）は、前記スレッドベース（１２４ｂ）に沿う卵形の凹部（１２２ｒ）と、前記スレッドラテラルエッジ（１２４ｆ）に沿って形成されるネック（１２２ｎ）とを形成するプロファイルを有していて、好ましくは、
前記フルート（１２２）は、フルート（１２２）の数に等しい数のスレッドサブセグメント（ウイングまたはブレード）（１２４ｓ）へと前記少なくとも１つのスレッド（１２４）を分割していて、さらに好ましくは、
前記インプラント（１００）の前記アピカルエンド（１００ｄ）は、実質的に平坦であり、前記各スレッド（１２４）の出発点を先導する前記コア（１２０ｃ）から延在する少なくとも１つのカッティングリーディングエッジの先端部（１２６ｅ）を含み、前記カッティングリーディングエッジの先端部（１２６ｅ）によって、前記インプラント（１００）を骨内で安定化させ、さらにより好ましくは、
前記アピカルエンド（１００ｄ）は、第１（アピカル）のウイングエンド（１２５ａ）および第２（コロナル）のウイングエンド（１２５ｃ）を含む側面に沿って、２つの対向するラテラルベベルエンド（１２２ｅ）を有する第１のスレッドサブセグメント（ウイング、ブレード）（１２４ｓ）をさらに含み、最も好ましくは、
前記第２（コロナル）のウイングエンド（１２５ｃ）は、アピカル面（１２４ａ）のアンダーカットをさらに含み、前記第１（アピカル）ウイングエンド（１２５ａ）に対して、前記第２（コロナル）のウイングエンド（１２５ｃ）を上昇させている、
請求項２に記載のボーンインプラント（１００）。
【請求項８】
冠状部分（１１０）および本体部分（１２０）を含むボーンインプラント（１００）であって、前記冠状部分（１１０）および前記本体部分（１２０）は互いに連続していて、前記冠状部分（１１０）は、前記インプラント（１００）の近位端を規定していて、前記本体部分（１２０）は、前記インプラント（１００）の遠位端を規定していて、前記冠状部分（１１０）は、前記本体部分（１２０）の全体の直径よりも小さい全体の直径を有するように構成されていて、前記本体部分（１２０）は、その長さに沿って、アピカルエンドからコロナルエンドにかけて規定されている少なくとも１つのスレッド（１２４）を有していて、前記スレッド（１２４）は、前記本体部分（１２０）の長さに沿って、少なくとも２つの長手方向の凹部を含み、前記本体部分（１２０）の全長に沿って規定されている少なくとも２つのフルート（１２２）を規定していて、前記フルート（１２２）は、前記歯科インプラント（１００）を回転させた場合に骨を回収するように、かつ前記冠状部分（１１０）に隣接する近位開口部（１２２ｏ）を有するように構成されていて、前記フルート近位開口部（１２２ｏ）は、前記インプラント（１００）の前記冠状部分（１１０）からアクセス可能な前記少なくとも２つのフルート（１２２）の長手方向の凹部を与えるように構成されていて、それを通して、骨を除去または導入するために提供されていて、
前記少なくとも２つのフルート（１２２）は、スレッドベース（１２４ｂ）と、前記スレッド（１２４）のラテラルエッジ（１２４ｆ）との間の前記スレッド（１２４）の深さにわたって形成されていて、前記フルート（１２２）は、前記スレッド（１２４）のベース（１２４ｂ）に沿って形成されている卵形の凹部（１２２ｒ）と、前記スレッド（１２４）のラテラルエッジ（１２４ｆ）に沿って形成されているネック（１２２ｎ）とから規定されているプロファイルを有しているか、または前記フルート（１２２）は、前記スレッド（１２４）のベース（１２４ｂ）および前記スレッド（１２４）の深さにわたるボトルネックプロファイル（１２２ｐ）を有するように構成されている、
ボーンインプラント（１００）。
【請求項９】
前記フルート（１２２）のプロファイルは、前記ネック（１２２ｎ）と前記卵形の凹部（１２２ｒ）との間のサイズ比に基づいて規定され、好ましくは、前記ネック部分（１２２ｎ）は、前記スレッド（１２４）のラテラルエッジ（１２４ｆ）に沿って、ベベル状のカッティングエッジを規定している、請求項８に記載のボーンインプラント（１００）。
【請求項１０】
前記プロファイルは、２つのＳ字カーブのショルダー（１２２ｓ）によって規定されていて、前記ショルダー（１２２ｓ）は、前記スレッドコアから前記スレッド（１２４）のラテラルエッジ（１２４ｆ）に向かって、前方にわたって、延在していて、スレッドの深さ／高さに沿う卵形の形状の凹部を形成し、前記ラテラルエッジ（１２４ｆ）に隣接するネックを形成し、前記ネックが、ベベル状のカッティングエッジを規定している、請求項８に記載のボーンインプラント（１００）。
【請求項１１】
（ａ）前記少なくとも２つのフルート（１２２）は、前記スレッド（１２４）に沿って、等しく間隔をあけて配置されているか、または、
（ｂ）前記本体部分（１２０）の長さに沿って、少なくとも３つの前記フルート（１２２）を有するか、または、
（ｃ）前記本体部分（１２０）の長さに沿って、少なくとも４つの前記フルート（１２２）を有する、
請求項８に記載のボーンインプラント（１００）。
【請求項１２】
前記フルート（１２２）が、前記本体部分（１２０）の長さに沿って、チャネルを形成し、リニア、カーブ、弓、アーチ、Ｓ字、スパイラル、それらのいずれかの組み合わせからなる群から選択される長手軸を有し、好ましくは、
前記長手軸が、前記本体部分のコアに基づいて規定されているか、または、
前記フルートが、独立した長手軸を備えるか、または、
すべてのフルートが、同一の長手軸を備えるか、または、
対向するフルートが、同一の長手軸を備えるか、または、
前記スレッドサブセグメント（ウイング、ブレード）のそれぞれが、側面に沿って規定されている２つのラテラルベベルエンドを含む、
請求項８に記載のボーンインプラント（１００）。
【請求項１３】
連続したスレッドにおいて切削および回収の両方を行うように構成されているか、または、
前記フルート（１２２）が、前記スレッド（１２４）の３６０度の全周にわたって構成されていて、インプラントの全体の支持を提供するか、または、
前記フルート（１２２）が、フルートの数に等しい数のスレッドサブセグメント（ウイング、ブレード）へと前記スレッド（１２４）を分割しているか、または、
前記スレッド（１２４）が、セルフドリル、セルフタップ、セルフコレクト、セルフカット、骨の凝縮およびそれらのいずれかの組み合わせからなる群から選択される少なくとも１つであるように構成されている、
請求項８に記載のボーンインプラント（１００）。
【請求項１４】
冠状部分（１１０）と本体部分（１２０）とを含むボーンインプラントアンカー（１００）であって、前記冠状部分（１１０）および前記本体部分（１２０）は互いに連続していて、前記冠状部分（１１０）は、前記インプラントアンカー（１００）の近位端を規定していて、前記本体部分（１２０）は、前記インプラントアンカー（１００）の遠位端を規定していて、前記本体部分（１２０）は、少なくとも１つのスレッド（１２４）を備える内側コア（１２０ｃ）を有していて、前記スレッド（１２４）は、そこからその長さに沿って延在し、前記内側コア（１２０ｃ）は、前記本体部分（１２０）の内側直径を規定していて、前記少なくとも１つのスレッド（１２４）は、前記本体部分（１２０）の外側直径を規定していて、前記スレッド（１２４）は、
ａ）アピカルサイド（１２４ａ）と、コロナルサイド（１２４ｃ）と、前記アピカルサイド（１２４ａ）と前記コロナルサイド（１２４ｃ）とを結合しているラテラルエッジ（１２４ｆ）と、前記スレッド（１２４）を前記コア（１２０ｃ）に結合しているベース（１２４ｂ）と、前記ラテラルエッジ（１２４ｆ）と前記ベース（１２４ｂ）との間に規定されているスレッド深さとを含み、前記スレッド深さは、前記スレッド（１２４）の平面軸を規定していて、
ｂ）隣接するスレッドベース（１２４ｂ）の間に規定されている隣接するスレッド（１２４）は、スレッド内面（３８）を規定しているインプラントコア（１２０ｃ）の外側表面に結合されていて、
ｃ）前記少なくとも１つのスレッド（１２４）のスレッドアピカルサイド（１２４ａ）またはスレッドコロナルサイド（１２４ｃ）の少なくとも１つが、前記平面軸に沿う少なくとも１つのコンタモディフィケーション（１４０）を備え、前記平面軸に沿って、少なくとも２つのサブセグメント（１４２、１４４）を規定していて、
前記コア（１２０ｃ）は、少なくとも２つのサブセグメント（１２０ａ、１２０ｂ（すなわち、近位サブセグメント（１２０ａ）、遠位サブセグメント（１２０ｂ）））から形成され、前記少なくとも１つのスレッド（１２４）は、頂端部の方向で、近位サブセグメント（１２０ａ）の長さに沿って概して増加し、かつ頂端部の方向で、前記遠位サブセグメント（１２０ｂ）の長さに沿って概して減少する変更可能な深さを有し、前記スレッド（１２４）の最小の深さは、前記コア（１２０ｃ）の前記冠状部分に隣接し、前記スレッド（１２４）の最大の深さは、遠位サブセグメント（１２０ｂ）と近位サブセグメント（１２０ａ）との間で見出され得る、
ボーンインプラントアンカー（１００）。
【請求項１５】
それぞれの追加のコンタモディフィケーション（１４０）は、少なくとも１つのモディフィケーションサブセグメント（１４２、１４４）によって、前記平面軸に沿って規定される個々のモディフィケーションサブセグメントの数を増加させるか、または、
前記スレッドアピカルサイドまたは前記スレッドコロナルサイドの少なくとも１つが、少なくとも１つ、最大で５つのコンタモディフィケーション（１４０）を個々に備えていてもよいか、または、
前記本体部分（１２０）が、そこからその長さに沿って延在する少なくとも２つのスレッド（１２４）を含むように構成されていて、好ましくは、
複数のスレッド（１２４）が、前記内側コア（１２０ｃ）から前記内側コアの長さに沿って延在し、好ましくは、
前記複数のスレッド（１２４）のそれぞれは、前記スレッドアピカルサイド（１２４ａ）または前記スレッドコロナルサイド（１２４ｃ）の少なくとも１つに沿って少なくとも１つの前記コンタモディフィケーション（１４０）を含むように、その平面軸に沿って個々に／独立して構成されている、
請求項１４に記載のボーンインプラントアンカー。
【請求項１６】
前記コンタモディフィケーション（１４０）は、前記スレッドラテラルエッジ（１２４ｆ）と前記スレッドベース（１２４ｂ）との間に規定されているか、または、
前記コンタモディフィケーション（１４０）は、前記平面軸に対して、最大で約１８０度の角度を規定しているか、または、
前記スレッド（１２４）は、前記平面軸に関して対称であるか、または、
前記スレッドは、前記平面軸に関して非対称である、
請求項１４に記載のボーンインプラントアンカー。
【請求項１７】
冠状部分（１１０）および本体部分（１２０）を含むボーンインプラント（１００）であって、前記冠状部分（１１０）および前記本体部分（１２０）は互いに連続していて、前記冠状部分（１１０）は、前記インプラント（１００）の近位端を規定していて、前記本体部分（１２０）は、前記インプラント（１００）の遠位端を規定していて、前記冠状部分（１１０）は、前記本体部分（１２０）の全体の直径よりも小さい全体の直径を有するように構成されていて、前記本体部分（１２０）は、その長さに沿って、アピカルエンドからコロナルエンドにかけて規定されている少なくとも１つのスレッド（１２４）を有していて、前記スレッド（１２４）は、前記本体部分（１２０）の長さに沿って、少なくとも２つの長手方向の凹部を含み、前記本体部分（１２０）の全長に沿って規定されている少なくとも２つのフルート（１２２）を規定していて、前記フルート（１２２）は、前記歯科インプラント（１００）を回転させた場合に骨を回収するように、かつ前記冠状部分（１１０）に隣接する近位開口部（１２２ｏ）を有するように構成されていて、前記フルート近位開口部（１２２ｏ）は、前記インプラント（１００）の前記冠状部分（１１０）からアクセス可能な前記少なくとも２つのフルート（１２２）の長手方向の凹部を与えるように構成されていて、それを通して、骨を除去または導入するために提供されていて、
前記少なくとも２つのフルート（１２２）は、スレッドベース（１２４ｂ）と、前記スレッド（１２４）のラテラルエッジ（１２４ｆ）との間の前記スレッド（１２４）の深さにわたって形成されていて、前記フルート（１２２）は、前記スレッド（１２４）のベース（１２４ｂ）に沿って形成されている卵形の凹部（１２２ｒ）と、前記スレッド（１２４）のラテラルエッジ（１２４ｆ）に沿って形成されているネック（１２２ｎ）とから規定されているプロファイルを有していて、
前記ネック（１２２ｎ）は、前記スレッドのラテラルエッジ（１２４ｆ）に沿って、ベベル状のカッティングエッジ（１２２ｅ）を規定していて、
前記ベベル状のカッティングエッジ（１２２ｅ）は、凹部（１２２ｒ）に関して鋭い角度を形成している、
ボーンインプラント（１００）。